(57)【要約】  映像制御装置（２００）は、映像を表示する表示部（２０１）と、表示部の表示画面の映像を取り込むキャプチャ部（２０１）と、映像の取り込み対象の領域である第１領域の領域内に、以前に取り込まれた表示画面の映像を表示する第２領域が含まれているか否かを判定する領域判定部（２０３）と、第１領域に前記第２領域が含まれている場合に、第１領域から取り込まれた映像から前記第２領域の映像が非表示となる映像を生成して表示部に表示する映像生成部（２０４）とを有する。
2019175971.tif 000002
【特許請求の範囲】
【請求項１】
映像を表示する表示部と、
前記表示部の表示画面の映像を取り込むキャプチャ部と、
映像の取り込み対象の領域である第１領域の領域内に、以前に取り込まれた表示画面の映像を表示する第２領域が含まれているか否かを判定する領域判定部と、
前記第１領域に前記第２領域が含まれている場合に、前記第１領域から取り込まれた映像から前記第２領域の映像が非表示となる映像を生成して前記表示部に表示する映像生成部と
を有する映像制御装置。
【請求項２】
前記映像生成部は、
前記第１領域のうち前記第２領域の映像を取り込み対象から除外して前記映像を取り込むことで前記第２領域の映像が非表示となる映像を生成する
請求項１記載の映像制御装置。
【請求項３】
前記映像生成部は、
前記第１領域のうち前記第２領域の映像に対して前記第２領域の映像とは異なる映像を合成することで前記第２領域の映像が非表示となる映像を生成する
請求項１記載の映像制御装置。
【請求項４】
第１の映像を表示する表示部と、
前記第１の映像を第１の取込対象とし、第１の取込映像を取得するキャプチャ部と、
前記第１の取込映像に所定の領域が含まれる場合に、前記所定の領域に所定の処理を行った前記第１の取込映像を、前記第１の取込対象に対して割り当てられた第１の割当領域に含む、第２の映像を生成する映像生成部と、
を有し、
前記表示部は、前記第１の映像を表示した後に前記第２の映像を表示する
映像制御装置。
【請求項５】
前記所定の領域は、前記キャプチャ部の以前の取込対象に対して割り当てられた領域である
請求項４記載の映像制御装置。
【請求項６】
前記キャプチャ部は、さらに、前記第２の映像を第２の取込対象とし、第２の取込映像を取得し、
前記映像生成部は、前記第２の取込映像に前記所定の領域が含まれる場合に、前記所定の領域に前記所定の処理を行った前記第２の取込映像を、前記第２の取込対象に対して割り当てられた第２の割当領域に含む、第３の映像を生成し、
前記表示部は、前記第２の映像を表示した後に前記第３の映像を表示する
請求項４又は５記載の映像制御装置。
【請求項７】
前記第２の取込映像に含まれる前記所定の領域は、前記第１の割当領域の一部である
請求項６記載の映像制御装置。
【請求項８】
前記所定の処理は、少なくとも、前記キャプチャ部が取得した映像から前記所定の領域の部分を除く処理を含む
請求項４から７のいずれか１項に記載の映像制御装置。
【請求項９】
前記所定の処理は、少なくとも、前記キャプチャ部が取得した映像に含まれる前記所定の領域に、所定の映像を合成する処理を含む
請求項４から８のいずれか１項に記載の映像制御装置。
【請求項１０】
表示部に表示される映像を取り込む際に、映像の取り込み対象の領域である第１領域の領域内に、以前に取り込まれた表示画面の映像を表示する第２領域が含まれているか否かを判定する工程と、
前記第１領域に前記第２領域が含まれている場合に、前記第１領域から取り込まれた映像から前記第２領域の映像が非表示となる映像を生成して前記表示部に表示する工程と
を含むようにした映像制御方法。
【発明の詳細な説明】
【技術分野】
【０００１】
本発明は、映像制御装置及び映像制御方法に関する。
【背景技術】
【０００２】
液晶ディスプレイやプロジェクタ等の画像を受信するデバイスに対して、無線ＬＡＮ（Local Area Network）等のネットワークを介して接続し、映像や画像を伝送する技術がある。例えば、特許文献１及び特許文献２には、ネットワークを介して他者と映像を送受信し共有する技術が開示されている。パーソナルコンピュータ（ＰＣ）等のデバイスは、受信デバイスに接続することでＰＣの画面や画像等をプロジェクタ等に映し出し、大勢の人と共有することができる。更に、ＰＣも自装置の表示部の映像をキャプチャし、他の装置からの映像と同様に、表示することもできる。
【先行技術文献】
【特許文献】
【０００３】
【特許文献１】特許第３２８３５０６号公報
【特許文献２】特開２０１４−０９０３６４号公報
【発明の概要】
【発明が解決しようとする課題】
【０００４】
しかしながら、自装置の表示部の映像をキャプチャして表示する場合、キャプチャ領域内に、以前にキャプチャされた自装置の映像を表示する領域があると、表示する映像がループし、合わせ鏡のような入れ子の状態になってしまう。【０００５】
例えば、主画面にｎ＋１フレームの画面を表示しているときには、前回のｎフレームの自装置の表示画面のキャプチャ映像が表示されている。ここで、ｎ＋１フレームの画面をキャプチャすると、キャプチャした画像には、ｎフレームとｎ＋１フレームの画面の情報が含まれる。主画面にｎ＋２フレームの画面を表示しているときには、前回のｎ＋１フレームの自装置の表示画面のキャプチャ映像が表示される。ここで、ｎ＋２フレームの画面をキャプチャすると、キャプチャした画像には、ｎフレームと、ｎ＋１フレームと、ｎ＋２フレームの画面の情報が含まれることになる。以下、ｎ＋３フレームの画面をキャプチャすると、キャプチャした画像には、ｎフレームと、ｎ＋１フレームと、ｎ＋２フレームと、ｎ＋３フレームの画面の情報が含まれることになる。ｎ＋４フレームの画面をキャプチャすると、キャプチャした画像には、ｎフレームと、ｎ＋１フレームと、ｎ＋２フレームと、ｎ＋３フレームと、ｎ＋４フレームの画面の情報が含まれることになる。このように、表示する映像がループし、合わせ鏡のような入れ子の状態になり、キャプチャ映像には、過去のフレームの画面の影響が連綿と入り込み続けることになる。【０００６】
このように、映像がループし、合わせ鏡のような映像になる現象は、ドロステ効果と呼ばれている。一般的に、映像を送信する際には、通信データ量を削減するため、映像の差分だけを送信する手法が多く使われる。しかし、表示する映像がループした場合、常に自装置の画面をキャプチャした映像は、収束するまで変化し続け、結果的にネットワークやＣＰＵ（Central Processing Unit）へ負荷をかけてしまう問題がある。【０００７】
上述の課題を鑑み、本発明は、自装置の画面をキャプチャした画像を表示する際に、映像がループすることを回避できる映像制御装置及び映像制御方法を提供することを目的とする。
【課題を解決するための手段】
【０００８】
上述の課題を解決するために、本発明の一態様に係る映像制御装置は、映像を表示する表示部と、前記表示部の表示画面の映像を取り込むキャプチャ部と、映像の取り込み対象の領域である第１領域の領域内に、以前に取り込まれた表示画面の映像を表示する第２領域が含まれているか否かを判定する領域判定部と、前記第１領域に前記第２領域が含まれている場合に、前記第１領域から取り込まれた映像から前記第２領域の映像が非表示となる映像を生成して前記表示部に表示する映像生成部とを有する。【０００９】
本発明の一態様に係る映像制御方法は、表示部に表示される映像を取り込む際に、映像の取り込み対象の領域である第１領域の領域内に、以前に取り込まれた表示画面の映像を表示する第２領域が含まれているか否かを判定する工程と、前記第１領域に前記第２領域が含まれている場合に、前記第１領域から取り込まれた映像から前記第２領域の映像が非表示となる映像を生成して前記表示部に表示する工程とを含む。
【発明の効果】
【００１０】
本発明によれば、映像の取り込み対象の領域である第１領域の領域内に、以前に取り込まれた表示画面の映像を表示する第２領域が含まれている場合に、第１領域から取り込みされた映像から第２領域の映像が非表示となる映像を生成して表示部に表示することで、映像がループし、合わせ鏡のような映像になることを回避できる。
【図面の簡単な説明】
【００１１】
【図１】本発明の第１の実施形態に係る映像表示システムの構成を示すブロック図である。
【図２】本発明の第１の実施形態に係る映像受信装置の概略構成を示すブロック図である。
【図３】本発明の第１の実施形態に係る映像受信装置における記憶部の記憶領域の説明図である。
【図４Ａ】本発明の第１の実施形態に係る映像受信装置でキャプチャされる画面の説明図である。
【図４Ｂ】本発明の第１の実施形態に係る映像受信装置でキャプチャされる画面の説明図である。
【図４Ｃ】本発明の第１の実施形態に係る映像受信装置でキャプチャされる画面の説明図である。
【図５Ａ】本発明の第１の実施形態に係る映像受信装置で合成される表示画面の説明図である。
【図５Ｂ】本発明の第１の実施形態に係る映像受信装置で合成される表示画面の説明図である。
【図５Ｃ】本発明の第１の実施形態に係る映像受信装置で合成される表示画面の他の例を説明する説明図である。
【図５Ｄ】本発明の第１の実施形態に係る映像受信装置で合成される表示画面の他の例を説明する説明図である。
【図５Ｅ】本発明の第１の実施形態に係る映像受信装置で合成される表示画面の他の例を説明する説明図である。
【図６】本発明の第１の実施形態に係る映像受信装置において画面の位置とサイズを求める際の説明図である。
【図７】本発明の第１の実施形態に係る映像受信装置での処理を示すフローチャートである。
【図８】本発明の他の実施形態に係る映像受信装置で合成される表示画面の説明図である。
【図９】本発明による映像制御装置の基本構成を示す概略ブロック図である。
【発明を実施するための形態】
【００１２】
以下、本発明の実施の形態について図面を参照しながら説明する。図１は、本発明の第１の実施形態に係る映像表示システム１の構成を示すブロック図である。図１に示すように、本発明の第１の実施形態に係る映像表示システム１は、映像受信装置１１と、映像送信装置１２ａ及び１２ｂとから構成される。映像受信装置１１と映像送信装置１２ａ及び１２ｂとの間は、例えばＨＤＭＩ（登録商標）（High-Definition Multimedia Interface）等の映像ケーブル１３ａ及び１３ｂを用いて接続される。
【００１３】
なお、ここでは、映像受信装置１１に対して、２台の映像送信装置１２ａ及び１２ｂを接続しているが、これは一例であり、映像受信装置１１に接続される映像送信装置の数はこれに限定されるものではない。また、ここでは、映像受信装置１１と映像送信装置１２ａ及び１２ｂとの間を映像ケーブル１３ａ及び１３ｂを用いて接続しているが、映像受信装置１１と映像送信装置１２ａ及び１２ｂとの間は、ワイヤレスで接続しても良い。また、映像受信装置１１と映像送信装置１２ａ及び１２ｂとの間は、ネットワークを介して接続するようにしても良い。
【００１４】
映像受信装置１１は、液晶ディスプレイやプロジェクタからなる表示部を備え、自装置の映像や他装置（映像送信装置１２ａ及び１２ｂ）からの映像を表示する。本実施形態では、映像受信装置１１は、主画面となる自装置の画面に、映像送信装置１２ａ及び１２ｂの映像から取り込んだキャプチャ映像と、自装置の表示画面から取り込んだキャプチャ映像を合成して表示できる。なお、映像受信装置１１としては、パーソナルコンピュータ（ＰＣ：Personal Computer）を用いても良い。
【００１５】
映像送信装置１２ａ及び１２ｂは、映像受信装置１１に映像を送信する。映像送信装置１２ａ及び１２ｂとしては、テレビジョン受信機、ＨＤＤ（Hard Disk Drive）レコーダ、ＤＶＤ（Digital Versatile Disc）プレーヤ等、外部に映像を送信できる機器であれば何れを用いても良い。また、映像送信装置１２ａ及び１２ｂとしては、パーソナルコンピュータ（ＰＣ）を用いても良い。
【００１６】
図２は、本発明の第１の実施形態に係る映像受信装置１１の概略構成を示すブロック図である。図２に示すように、映像受信装置１１は、制御部１０１と、記憶部１０２と、通信部１０３と、キャプチャ部１０４と、表示部１０５と、主画面生成部１０６と、表示出力部１０７とから構成される。
【００１７】
制御部１０１は、映像受信装置１１の全体制御を行っている。本実施形態では、制御部１０１は、主画面生成部１０６からの主画面の映像に、映像送信装置１２ａ及び１２ｂのキャプチャ映像と、自装置の表示画面のキャプチャ映像とを合成する処理を行っている。
【００１８】
記憶部１０２は、各種のデータの書き込み／読み出しを行う。図３は、本発明の第１の実施形態に係る映像受信装置における記憶部１０２の記憶領域の説明図である。図３に示すように、本実施形態では、記憶部１０２は、画面Ａ記憶領域１２１ａと、画面Ｂ記憶領域１２１ｂと、画面Ｃ記憶領域１２１ｃとを有している。
【００１９】
通信部１０３は、映像送信装置１２ａ及び１２ｂから送信されてきた映像信号を入力して、制御部１０１に出力する。通信部１０３としては、ＨＤＭＩ（登録商標）（High-Definition Multimedia Interface）、有線ＬＡＮ（Local Area Network）、無線ＬＡＮ等の方式のものが用いられる。本実施形態では、通信部１０３を介して、映像送信装置１２ａから送られてきた映像データは、制御部１０１の制御の下にキャプチャされ、図３に示す記憶部１０２の画面Ａ記憶領域１２１ａに一旦保存される。また、通信部１０３を介して、映像送信装置１２ｂから送られてきた映像データは、制御部１０１の制御の下にキャプチャされ、図３に示す記憶部１０２の画面Ｂ記憶領域１２１ｂに一旦保存される。
【００２０】
キャプチャ部１０４は、表示部１０５に表示される自装置の画面を取り込む。本実施形態では、キャプチャ部１０４で取り込まれた映像データは、制御部１０１の制御の下に、図３に示す記憶部１０２の画面Ｃ記憶領域１２１ｃに一旦保存される。
【００２１】
表示部１０５は、映像信号に基づく画像を表示する。表示部１０５としては、液晶ディスプレイやプロジェクタが用いられる。本実施形態では、表示部１０５には、主画面となる主画面生成部１０６の画面に、映像送信装置１２ａ及び１２ｂのキャプチャ映像と、自装置の表示画面のキャプチャ映像とを合成して表示できる。
【００２２】
主画面生成部１０６は、自装置に映し出す主画面の映像を生成する。映像受信装置１１がパーソナルコンピュータの場合には、主画面生成部１０６は、コンピュータの操作画面を生成するものであっても良い。表示出力部１０７は、当該映像受信装置１１で表示する映像信号を外部に出力する。
【００２３】
前述したように、表示部１０５には、主画面生成部１０６からの主画面となる画面に、映像送信装置１２ａ及び１２ｂのキャプチャ映像と、キャプチャ部１０４によりキャプチャした自装置の表示画面のキャプチャ映像とを合成して表示できる。しかしながら、自装置の映像をキャプチャして表示する場合、以前にキャプチャした自装置の表示画面をキャプチャすると、表示する映像がループし、合わせ鏡のような入れ子の状態になってしまう。そこで、本実施形態では、キャプチャ映像の表示領域内に、以前にキャプチャした自装置の表示画面が含まれている場合には、この以前にキャプチャした自装置の表示画面の範囲をキャプチャ領域から除くようにしている。このことについて、以下に説明する。
【００２４】
図４A、図４B、図４Cは、本発明の第１の実施形態に係る映像受信装置１１でキャプチャされる画面の説明図である。
【００２５】
映像送信装置１２ａから映像受信装置１１には、ｎフレーム、ｎ＋１フレーム、ｎ＋２フレーム、…（ｎは任意の整数）で、画面Ａｎ、Ａｎ＋１、Ａｎ＋２、…の映像が送られる。映像送信装置１２ａからの画面Ａｎ、Ａｎ＋１、Ａｎ＋２、…の映像データは、記憶部１０２の画面Ａ記憶領域１２１ａに一旦保存される。図４Ａは、ｎフレームのときの映像送信装置１２ａの画面Ａｎを示している。
【００２６】
また、映像送信装置１２ｂから映像受信装置１１には、ｎフレーム、ｎ＋１フレーム、ｎ＋２フレーム、…で、画面Ｂｎ、Ｂｎ＋１、Ｂｎ＋２、…の映像が送られる。映像送信装置１２ｂからの画面Ｂｎ、Ｂｎ＋１、Ｂｎ＋２、…の映像データは、記憶部１０２の画面Ｂ記憶領域１２１ｂに一旦保存される。図４Ｂは、ｎフレームのときの映像送信装置１２ｂの画面Ｂｎを示している。
【００２７】
また、ｎフレーム、ｎ＋１フレーム、ｎ＋２フレーム、…の自装置で表示している画面Ｃｎ、Ｃｎ＋１、Ｃｎ＋２、…は、キャプチャ部１０４によりキャプチャされる。キャプチャ部１０４でキャプチャされた画面Ｃｎ、Ｃｎ＋１、Ｃｎ＋２、…の映像データは、記憶部１０２の画面Ｃ記憶領域に一旦保存される。図４Ｃは、ｎフレームのときにキャプチャされた自装置の画面Ｃｎを示している。この例では、ｎフレームより前には、画面の合成処理は行っておらず、表示部１０５には、主画面生成部１０６からの映像のみを映し出しているとする。
【００２８】
そして、ｎ＋１フレームから、主画面となる主画面生成部１０６の画面に、映像送信装置１２ａ及び１２ｂのキャプチャ映像と、自装置の表示画面のキャプチャ映像とを合成して表示するものとする。
【００２９】
図４Ａに示したように、記憶部１０２の画面Ａ記憶領域１２１ａには、ｎフレームのときの映像送信装置１２ａの画面Ａｎが保存されている。図４Ｂに示したように、記憶部１０２の画面Ｂ記憶領域１２１ｂには、ｎフレームのときの映像送信装置１２ｂの画面Ｂｎが保存されている。また、図４Ｃに示したように、記憶部１０２の画面Ｃ記憶領域１２１ｃには、ｎフレームのときの自装置の画面Ｃｎが保存されている。
【００３０】
図５A、図５Bは、本発明の第１の実施形態に係る映像受信装置で合成される表示画面の説明図である。
【００３１】
図５Ａは、ｎ＋１フレームの表示部１０５の表示画面（画面Ｃｎ＋１）を示している。図５Ａに示すように、主画面には、ｎ＋１フレームの主画面生成部１０６の画面が表示される。そして、記憶部１０２の画面Ａ記憶領域１２１ａからの画面Ａｎ（図４Ａ参照）が読み出され、映像送信装置１２ａのキャプチャ映像として、表示領域１５１ａに表示される。また、記憶部１０２の画面Ｂ記憶領域１２１ｂからの画面Ｂｎ（図４Ｂ参照）が読み出され、映像送信装置１２ｂのキャプチャ映像として、表示領域１５１ｂに表示される。また、記憶部１０２の画面Ｃ記憶領域１２１ｃからの自装置の画面Ｃｎ（図４Ｃ参照）が読み出され、自装置の表示画面のキャプチャ映像として、表示領域１５１ｃに表示される。このように、ｎ＋１フレームの表示部１０５の表示画面（画面Ｃｎ＋１）は、ｎ＋１フレームの主画面生成部１０６の画面を主画面とし、この画面に、ｎフレームの映像送信装置１２ａのキャプチャ映像（画面Ａｎ）と、ｎフレームの映像送信装置１２ｂのキャプチャ映像（画面Ｂｎ）と、ｎフレームの自装置の表示画面のキャプチャ映像（画面Ｃｎ）とを合成した表示画面となる。
【００３２】
また、この間に、記憶部１０２の画面Ｂ記憶領域１２１ａには、ｎ＋１フレームの画面Ａｎ＋１が保存される。また、記憶部１０２の画面Ｂ記憶領域１２１ｂには、ｎ＋１フレームの画面Ｂｎ＋１が保存される。また、このときの自装置の表示画面（画面Ｃｎ＋１）がキャプチャ映像として記憶部１０２の画面Ｃ記憶領域１２１ｃに保存される。
【００３３】
ここで、本実施形態では、制御部１０１は、表示画面（画面Ｃｎ＋１）をキャプチャする際に、キャプチャした画像の表示領域中に、所定の領域が含まれる場合に、所定の領域に所定の処理を行った取込映像を、第１の取込対象に対して割り当てられた第１の割当領域に含む、第２の映像を生成する。ここで所定の領域としては、例えば、キャプチャ部１０４が以前に取り込んだ際の取込対象を表示する対象の領域として割り当てられた領域を用いることができる。また、制御部１０１は、キャプチャ部１０４によってこの第２の映像を第２の取込対象として第２の取込映像が取得されると、第２の取込映像に所定の領域が含まれる場合に、所定の領域に所定の処理を行った第２の取込映像を、第２の取込対象に対して割り当てられた第２の割当領域に含む、第３の映像を生成する。この場合における第２の取込映像に含まれる所定の領域としては、例えば、第１の割当領域の一部の領域を用いることができる。
また、例えば、制御部１０１は、以前にキャプチャした自装置の表示画面（画面Ｃｎ）が含まれているか否かを判定し、以前にキャプチャした自装置の表示画面（画面Ｃｎ）が含まれている場合には、その位置とサイズを求め、その範囲を自装置の表示画面のキャプチャ領域から除外している。
【００３４】
図６は、本発明の第１の実施形態に係る映像受信装置において画面の位置とサイズを求める際の説明図である。図６を参照すると、表示部１０５は左上を原点（０，０）としサイズは（Ｗ，Ｈ）である。キャプチャした画像の表示領域は、位置（Ｘ，Ｙ）、サイズ（Ｗｒ，Ｈｒ）で表示される。更にキャプチャした画像の表示内に存在している以前にキャプチャした自装置の表示画面（画面Ｃｎ）を含む領域は、位置（Ｘ，Ｙ）を原点（０，０）としキャプチャ位置（ｘ，ｙ）、サイズ（ｗ，ｈ）に表示される。そのため、キャプチャを除外する範囲は表示部上の位置（Ｘ＋ｘ，Ｙ＋ｙ）、サイズ（ｗ，ｈ）になる。
【００３５】
図５Ｂは、ｎ＋２フレームの表示部１０５の表示画面（画面Ｃｎ＋２）を示している。図５Ｂに示すように、主画面には、ｎ＋２フレームの主画面生成部１０６の画面が表示される。そして、記憶部１０２の画面Ａ記憶領域１２１ａからの画面Ａｎ＋１が読み出され、映像送信装置１２ａのキャプチャ映像として、表示領域１５１ａに表示される。また、記憶部１０２の画面Ｂ記憶領域１２１ｂからの画面Ｂｎ＋１が読み出され、映像送信装置１２ｂのキャプチャ映像として、表示領域１５１ｂに表示される。また、記憶部１０２の画面Ｃ記憶領域１２１ｃから自装置の画面Ｃｎ＋１が読み出され、自装置の表示画面のキャプチャ映像として、表示領域１５１ｃに表示される。このように、ｎ＋２フレームの表示部１０５の表示画面（画面Ｃｎ＋２）は、ｎ＋２フレームの主画面生成部１０６の画面を主画面とし、この画面に、ｎ＋１フレームの映像送信装置１２ａのキャプチャ映像（画面Ａｎ＋１）と、ｎ＋１フレームの映像送信装置１２ｂのキャプチャ映像（画面Ｂｎ＋１）と、ｎ＋１フレームの自装置の表示画面のキャプチャ映像（画面Ｃｎ＋１）とを合成した画面となる。
【００３６】
ここで、図５Ｂにおいて表示領域１５１ｃに表示される自装置の表示画面のキャプチャ映像は、図５Ａに示した画面Ｃｎ＋１の画面であり、その中で、以前にキャプチャした自装置の表示画面（画面Ｃｎ）が表示されている表示領域１５１ｃの画面は、キャプチャ領域から除かれている。ここでは、制御部１０１は、キャプチャ領域から除かれた部分に対応する領域に、特定の画像（符号１５５）を合成する。特定の画像としては、任意の画像を用いることができるが、例えば、単一色で塗り潰されたような画像を用いることができる。その結果、図５Ｂの表示領域１５１ｃにおいて以前にキャプチャされた自装置の表示画面が表示される領域（画面Ａｎに示す領域の下方の領域）には、特定の画像が表示される。
したがって、図５Ｂにおける表示領域１５１ｃのキャプチャ映像には、以前にキャプチャした自装置の表示画面（画面Ｃｎ）の映像が含まれない。このため、映像がループし、合わせ鏡のような入れ子の状態になることが回避できる。このように、本実施形態では、自装置の表示画面の中で、以前にキャプチャした自装置の表示画面Ｃｎの映像の部分を除いて、自装置の画面をキャプチャしているので、映像がループし、合わせ鏡のような入れ子の状態になることが回避できる。
【００３７】
ここで、特定の画像として単一色で塗り潰されたような画像を用いることができるが、これ以外に、例えば、以前に記憶された前フレームの画像Ｃｎ＋１の一部の領域の画像を合成するようにしてもよい。この前フレームの画像Ｃｎ＋１の一部の領域の画像として、例えば、画像Ｃｎ＋１における特定の画像を表示する領域の座標と同じ座標の画像を用いることができる。その場合、図５Ｃの領域１５６に示すように、画像Ｃｎ＋２における表示領域１５１ｃに表示される画像と類似する画像が表示される。そのため、表示領域１５１ｃの画像と領域１５６の画像とが連続した１つの画像であるかのように表示される。
【００３８】
図５Ｃに示す画面が表示された後、さらに次のフレームにおいて、画面のキャプチャが行われた画像が表示される。ここでは、制御部１０１は、キャプチャされた画像に以前にキャプチャされた画像が含まれる場合に、以前にキャプチャされた画像を表示する領域に所定の処理を行った取込映像を、この取込対象に対して割り当てられた割当領域に含むように合成された映像を生成する。ここでは、キャプチャされた画像を用いてそのまま表示画面に表示すると、図５Ｃの画像が表示された後に、図５Ｄに示すような画像が表示される。すなわち、３つ前のフレームにおける画像の一部は特定の画像によって非表示の状態になっているが、２つ前のフレームに対応する画像について表示される領域については、入れ子の状態の画像となり得る。そこで、制御部１０１は、以前にキャプチャした自装置の表示画面（画面Ｃｎ＋２）が表示される表示領域１５１ｃの画面については、キャプチャ領域から除いた上で残りの領域をキャプチャする。そして制御部１０１は、キャプチャ領域から除かれた部分に対応する領域に、図５Ｅに示すように、特定の画像（符号１５７）を合成する。その結果、３つ前のフレームを表示する対象の領域が今回キャプチャする画面の一部に含まれていたとしても、割当領域表示領域１５１ｃにおいて以前にキャプチャされた自装置の表示画面が表示される領域（画面Ａｎに示す領域の下方の領域）には、特定の画像が表示される。
【００３９】
図７は、本発明の第１の実施形態に係る映像受信装置１１での処理を示すフローチャートである。
【００４０】
（ステップＳ１）制御部１０１は、主画面となる画面に、自装置の表示画面のキャプチャ映像を合成する処理を開始させる。
【００４１】
（ステップＳ２）制御部１０１は、表示画面中に、キャプチャ映像が含まれているか否かを判定する。表示画面中に、キャプチャ映像が含まれていれば（ステップＳ２：Ｙｅｓ）、処理をステップＳ３に進める。表示画面中に、キャプチャ映像が含まれていなければ（ステップＳ２：Ｎｏ）、処理をステップＳ５に進める。
【００４２】
（ステップＳ３）制御部１０１は、キャプチャ映像内に、以前にキャプチャした自装置の表示画面の映像が含まれているか否かを判定する。キャプチャ映像内に、以前にキャプチャした自装置の表示画面の映像が含まれていれば（ステップＳ３：Ｙｅｓ）、処理をステップＳ４に進める。キャプチャ画像内に、以前にキャプチャした自装置の表示画面の映像が含まれていなければ（ステップＳ３：Ｎｏ）、処理をステップＳ５に進める。
【００４３】
（ステップＳ４）制御部１０１は、以前にキャプチャした自装置の表示画面の映像が含まれている領域の位置とサイズを求め、以前にキャプチャした自装置の表示画面の映像が含まれている領域を、自装置の画面をキャプチャする領域から除外する。
【００４４】
（ステップＳ５）制御部１０１は、以前にキャプチャした自装置の表示画面の映像が含まれている領域を除いて、表示画面の映像をキャプチャし、記憶部１０２に保存する。
【００４５】
（ステップＳ６）制御部１０１は、記憶部１０２からキャプチャ映像を読み出し、主画面に合成して、表示部１０５に表示させる。
【００４６】
（ステップＳ７）制御部１０１は、キャプチャを終了するか否かを判定し、キャプチャを終了しない場合には（ステップＳ７：Ｎｏ）、処理をステップＳ２にリターンする。キャプチャを終了する場合には（ステップＳ７：Ｙｅｓ）、処理を終了する。
【００４７】
以上説明したように、本実施形態では、キャプチャ映像の表示領域に、以前にキャプチャした自装置の表示画面の映像が含まれている場合には、以前にキャプチャした自装置の表示画面の映像の領域をキャプチャ領域から除外している。これにより、映像がループし、合わせ鏡のような入れ子の状態になることが回避できる。
【００４８】
なお、上述の第１の実施形態では、キャプチャ映像の表示領域中の以前にキャプチャした自装置の表示画面の映像の領域をキャプチャ領域から除外しているが、他の装置のキャプチャ映像についても、キャプチャ領域から除外しても良い。すなわち、図５Ａに示したように、表示画面（画面Ｃｎ＋１）をキャプチャする際に、以前にキャプチャした自装置の表示画面（画面Ｃｎ）が含まれている領域だけでなく、映像送信装置１２ａの画面（画面Ａｎ）の領域や、映像送信装置１２ｂの画面（画面Ｂｎ）の領域についても、キャプチャ領域から除外しても良い。
【００４９】
また、上述の第１の実施形態では、キャプチャ映像の表示領域中の以前にキャプチャした自装置の表示画面の映像の領域をキャプチャ領域から除外しているが、以前にキャプチャした自装置の表示画面の映像の領域を特定の色で塗りつぶすようにしても良い。また、以前にキャプチャした自装置の表示画面の映像の領域を特定の画像を合成するようにしても良い。要は、キャプチャ映像の表示領域中に、以前にキャプチャした自装置の表示画面の映像が含まれている場合には、以前にキャプチャした自装置の表示画面の映像の領域を非表示とすれば、映像がループし、合わせ鏡のような入れ子の状態になることが回避できる。
【００５０】
図８は、本発明の他の実施形態に係る映像受信装置で合成される表示画面の説明図である。この例では、キャプチャ映像は、画面Ｃｎ＋１の画面であり、その中で、以前にキャプチャした自装置の表示画面（画面Ｃｎ）が表示されている表示領域１５１ｃの画面は、所望の色で塗りつぶされている。
【００５１】
図９は、本発明による映像制御装置の基本構成を示す概略ブロック図である。すなわち、本発明による映像制御装置２００は、表示部２０１、キャプチャ部２０２、領域判定部２０３、及び映像生成部２０４を基本構成とする。
【００５２】
表示部２０１は、映像を表示する。キャプチャ部２０２は、表示部２０１の表示画面の映像を取り込む。領域判定部２０３は、映像の取り込み対象の領域である第１領域の領域内に、以前に取り込まれた表示画面の映像を表示する第２領域が含まれているか否かを判定する。映像生成部２０４は、第１領域に第２領域が含まれている場合に、第１領域から取り込みされた映像から第２領域の映像が非表示となる映像を生成して表示部２０１に表示する。
【００５３】
上述した実施形態における映像表示システム１の全部または一部をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ等のプログラマブルロジックデバイスを用いて実現されるものであってもよい。
【００５４】
以上、この発明の実施形態について図面を参照して詳述してきたが、具体的な構成はこの実施形態に限られるものではなく、この発明の要旨を逸脱しない範囲の設計等も含まれる。
【符号の説明】
【００５５】
１１    映像受信装置
１２ａ，１２ｂ   映像送信装置
２０１    表示部
２０２    キャプチャ部
２０３    領域判定部
２０４    映像生成部
【図１】
2019175971.tif 000003
【図２】
2019175971.tif 000004
【図３】
2019175971.tif 000005
【図４Ａ】
2019175971.tif 000006
【図４Ｂ】
2019175971.tif 000007
【図４Ｃ】
2019175971.tif 000008
【図５Ａ】
2019175971.tif 000009
【図５Ｂ】
2019175971.tif 000010
【図５Ｃ】
2019175971.tif 000011
【図５Ｄ】
2019175971.tif 000012
【図５Ｅ】
2019175971.tif 000013
【図６】
2019175971.tif 000014
【図７】
2019175971.tif 000015
【図８】
2019175971.tif 000016
【図９】
2019175971.tif 000017
【国際調査報告】
2019175971.tif 000018
2019175971.tif 000019